(57)【要約】【課題】本発明は、充電時間を増大させる液晶ディスプレイ装置及びその駆動方法を提供する。【解決手段】ＬＣＤ装置は、複数の第１のデータ・ライン、複数の第２のデータ・ライン、複数のディスプレイ・ユニット、ソース・ドライバ及びゲート・ドライバを有する。各第２のデータ・ラインは、２本の対応する第１のデータ・ラインの間に配置され、各ディスプレイ・ユニットは対応する第１のデ―タ・ラインと対応するゲート・ラインに、又は対応する第２のデータ・ラインと対応するゲート・ラインに結合される。ソース・ドライバは、複数の第１のデータ・ライン及び複数の第２のデータ・ラインに結合され、複数のデータ信号を供給する。各データ信号は、書き込み期間の第１の期間中に対応する第１のデータ・ラインに書き込まれ、該書き込み期間の第２の期間中に対応する第２のデータ・ラインに書き込まれる。【選択図】図３
2010170078.tif 000002
【特許請求の範囲】
【請求項１】
液晶ディスプレイ（ＬＣＤ）装置であって、充電時間を増大させることができ、
当該ＬＣＤ装置は：
並列に配置されたｍ本の第１のデータ・ライン；
２本の対応する第１のデータ・ラインの間に該対応する第１のデータ・ラインと並列にそれぞれ配置された、並列に配置されたｍ本の第２のデータ・ライン；
前記ｍ本の第１のデータ・ラインと前記ｍ本の第２のデータ・ラインとに垂直に配置されゲート信号を受信する複数の並列のゲート・ライン；
前記ｍ本の第１のデータ・ラインのうちの対応する第１のデータ・ライン及び前記複数のゲート・ラインのうちの対応するゲート・ラインにそれぞれ結合された複数の第１のディスプレイ・ユニット；
前記ｍ本の第２のデータ・ラインのうちの対応する第２のデータ・ライン及び前記複数のゲート・ラインのうちの対応するゲート・ラインにそれぞれ結合された複数の第２のディスプレイ・ユニット；及び
前記ｍ本の第１のデータ・ライン及び前記ｍ本の第２のデータ・ラインに結合されｍ個のデータ信号を供給するソース・ドライバ；を有し、
各データ信号は、書き込み期間の第１の期間中に前記ｍ本の第１のデータ・ラインのうちの対応する第１のデータ・ラインへ出力され、前記書き込み期間の第２の期間中に前記ｍ本の第２のデータ・ラインのうちの対応する第２のデータ・ラインへ出力される、
ＬＣＤ装置。
【請求項２】
前記ソース・ドライバは：スイッチ制御回路を有し、
該スイッチ制御回路は：
それぞれｍ個のデータ信号を受信するｍ個の入力端子；
それぞれ対応する前記ｍ本の第１のデータ・ラインに結合されたｍ個の第１の出力端子；
それぞれ対応する前記ｍ本の第２のデータ・ラインに結合されたｍ個の第２の出力端子；
ｍ個の第１のスイッチ；及び
ｍ個の第２のスイッチ；
を有し、
前記各第１のスイッチは：
前記ｍ個の入力端子のうちの対応する入力端子に結合された第１の端子；
前記ｍ個の第１の出力端子のうちの対応する第１の入力端子に結合された第２の端子；及び
前記第１及び第２の期間に対応する第１の制御信号を受信する制御端子；
を有し、
前記各第２のスイッチは：
前記ｍ個の入力端子のうちの対応する入力端子に結合された第１の端子；
前記ｍ個の第２の出力端子のうちの対応する第２の出力端子に結合された第２の端子；及び
前記第１及び第２の期間に対応する第２の制御信号を受信する制御端子；
を有する、
請求項１記載のＬＣＤ装置。
【請求項３】
前記ソース・ドライバは：
クロック信号とスタート・パルス信号とに基づき対応するクロック制御信号を生成するシフト・レジスタ；
シフト・レジスタに結合され、タイミング信号に基づきデータをラッチすることにより、対応するサンプル・データ信号を生成するデータ・ラッチ；
該データ・ラッチに結合され、前記サンプル・データ信号をアナログ・データ信号に変換するデジタル・アナログ変換器（ＤＡＣ）；及び
該ＤＡＣと前記スイッチ制御回路との間に結合され、前記アナログ・データ信号に基づき前記スイッチ制御回路へ前記ｍ個のデータ信号を出力する出力バッファ；
を更に有する、請求項２記載のＬＣＤ装置。
【請求項４】
前記第１及び第２のスイッチはトランジスタを有する、
請求項２記載のＬＣＤ装置。
【請求項５】
前記複数のゲート・ラインに結合され、前記ゲート信号を供給するゲート・ドライバ、
を更に有する請求項１記載のＬＣＤ装置。
【請求項６】
各ディスプレイは、薄膜トランジスタ（ＴＦＴ）スイッチ及び液晶キャパシタを有する、
請求項１記載のＬＣＤ装置。
【請求項７】
ＬＣＤ装置を駆動する方法であって：
書き込み期間の第１の期間中にｍ個のデータ信号をｍ本の対応する第１のデータ・ラインへそれぞれ出力する段階；及び
前記書き込み期間の第２の期間中に前記ｍ個のデータ信号をｍ本の対応する第２のデータ・ラインへそれぞれ出力し、前記ｍ個のデータ信号を前記ｍ本の第１のデータ・ラインへ出力するのを中止する段階；
を有し、
前記ｍ本の対応する第２のデータ・ラインは前記ｍ本の第１のデータ・ラインにそれぞれ隣接する、
方法。
【請求項８】
前記ｍ個のデータ信号を供給する段階、
を更に有する請求項７記載の方法。
【請求項９】
前記第２の期間中、前記ｍ本の第１のデータ・ラインを高インピーダンスに電気的に接続する段階、
を更に有する請求項７記載の方法。
【請求項１０】
前記第１及び第２の期間中、高位のゲート信号を出力し、ディスプレイ・ユニットを対応するデータ・ラインに電気的に接続する段階、
を更に有する請求項７記載の方法。
【発明の詳細な説明】
【技術分野】
【０００１】
本発明は、液晶ディスプレイ及び関連する駆動方法に関し、より詳細には充電時間を増大させる液晶ディスプレイ装置及びその駆動方法に関する。
【背景技術】
【０００２】
液晶ディスプレイ（ＬＣＤ）装置は、放射が少なく、小型で低消費電力であるという特徴を有し、従来の陰極線管（ＣＲＴ）装置を徐々に置き換えつつあり、ノート型コンピューター、パーソナル・デジタル・アシスタント（ＰＤＡ）、平面パネルＴＶ又は携帯電話機のような電子機器に広く用いられている。
【０００３】
低電力消費のＬＣＤ装置を設計するには、パネルの負荷及び動的な電力消費の両方がパネルの大きさと共に増大することに留意する必要がある。通常、液晶キャパシタに印加される電圧の極性は、液晶材料の分極により生じる恒久的な損傷を回避するために、所定の間隔で反転される必要がある。共通駆動方法は、ドット反転、ライン反転及びフレーム反転を含む。ＬＣＤ装置は、駆動電圧の極性が反転し始めるとき、及びソース・ドライバがデータ・ラインの電圧を変化させるために大容量の電力を供給する必要があるときに最も負荷が重くなる。その一方で、液晶キャパシタの充電時間は、動作周波数とパネル解像度の増大に伴い短くなる。２つの駆動電圧が大きく変化する場合、不十分な充電時間のために極性反転の後に理想電位が得られなくなってしまう。従って、充電時間を改善するために、一般にプリチャージが用いられる。
【０００４】
図１を参照する。図１は従来のＬＣＤ装置１０を示す。ＬＣＤ装置１０はＬＣＤパネル１２、ソース・ドライバ１４及び２つのゲート・ドライバ１６、１８を有する。複数の並列のデータ・ラインＤＬ１−ＤＬｍ、複数の並列のゲート・ラインＧＬ１−ＧＬｎ及び複数のディスプレイ・ユニットＰ（１，１）−Ｐ（ｍ，ｎ）がＬＣＤパネル１２上に配置されている。データ・ラインＤＬ１−ＤＬｍ及びゲート・ラインＧＬ１−ＧＬｎはマトリックスを形成し、ディスプレイ・ユニットＰ（１，１）−Ｐ（ｍ，ｎ）は、対応するデータ・ライン及び対応するゲート・ラインが交差する位置に配置される。ＬＣＤパネル１２上に配置された各ディスプレイ・ユニットは、ＴＦＴスイッチ及び液晶キャパシタを有する。各液晶キャパシタは、対応するデータ・ラインと対応するＴＦＴスイッチを介して結合される。ソース・ドライバ１４はディスプレイ画像に対応するデータ信号を生成し、一方でゲート・ドライバ１６及び１８はＴＦＴスイッチをオンに切り替えるためのゲート信号を生成する。ディスプレイ・ユニットのＴＦＴスイッチがゲート信号によってオンに切り替えられると、ディスプレイ・ユニットの液晶キャパシタは、ソース・ドライバ１４から送信されたデータ信号を受信するために、対応するデータ・ラインと電気的に接続される。液晶キャパシタに蓄積された電荷に基づき（蓄積された電荷の極性は「＋」又は「−」により表される）、ディスプレイ・ユニットは液晶分子を回転することにより異なるグレー・スケールの画像を表示する。
【０００５】
図２を参照する。図２は従来のＬＣＤ装置１０の動作を説明するタイミング図である。図２では、横軸は時間を表し、縦軸は電位を表す。ＣＫ＿０、ＣＫＢ＿０及びＳＴＶ＿０は、クロック信号及びゲート・ドライバ１６を動作させるスタート・パルス信号を表す。ＣＫ＿Ｅ、ＣＫＢ＿Ｅ及びＳＴＶ＿Ｅはクロック信号及びゲート・ドライバ１８を動作させるスタート・パルス信号を表す。ＧＳ１−ＧＳ４はそれぞれゲート・ラインＧＬ１−ＧＬ４へ出力されるゲート信号を表す。ＤＡＴＡがデータ信号を表し、ＤＡＴＡ１−ＤＡＴＡ４はそれぞれ同一のデータ・ラインへ出力されるデータ信号を表す。ＴはＬＣＤ装置１０の動作期間を表す。Ａ１−Ａ４は通常の充電期間を表す。Ｐ１−Ｐ４はプリチャージ期間を表す。データ信号ＤＡＴＡ１を入力するとき、ゲート信号ＧＳ１及びＧＳ２は両方とも高電位にあり、その間画素Ｐ（１，１）は通常の充電期間内にあり、画素Ｐ（１，２）はプリチャージ期間内にある。換言すると、画素Ｐ（１，２）は、画素（１，１）に書き込まれる前に、最初にデータ信号ＤＡＴＡ１でプリチャージされる。次に、次の通常の充電期間Ａ２の間に、正しいデータ信号ＤＡＴＡ２が画素Ｐ（１，２）に書き込まれる。
【発明の概要】
【発明が解決しようとする課題】
【０００６】
従来のＬＣＤ装置１０は、ディスプレイ・ユニットをプリチャージすることにより、ＴＦＴスイッチの充電時間を（Ｔ／４からＴ／２へ）増大させうる。しかしながら、データ・ラインの正しいデータ信号がプリチャージのデータ信号と大きく異なる場合、プリチャージの効果は制限される。また、ＬＣＤ装置１０は、ライン反転又はフレーム反転を提供しうるが、ドット反転の高いディスプレイ品質を達成することができない。
【課題を解決するための手段】
【０００７】
本発明は液晶ディスプレイ（ＬＣＤ）装置を提供する。当該ＬＣＤ装置は、充電時間を増大させることができ、当該ＬＣＤ装置は：並列に配置されたｍ本の第１のデータ・ライン；２本の対応する第１のデータ・ラインの間に該対応する第１のデータ・ラインと並列にそれぞれ配置された、並列に配置されたｍ本の第２のデータ・ライン；前記ｍ本の第１のデータ・ラインと前記ｍ本の第２のデータ・ラインとに垂直に配置されゲート信号を受信する複数の並列のゲート・ライン；前記ｍ本の第１のデータ・ラインのうちの対応する第１のデータ・ライン及び前記複数のゲート・ラインのうちの対応するゲート・ラインとそれぞれ結合された複数の第１のディスプレイ・ユニット；前記ｍ本の第２のデータ・ラインのうちの対応する第２のデータ・ライン及び前記複数のゲート・ラインのうちの対応するゲート・ラインとそれぞれ結合された複数の第２のディスプレイ・ユニット；及び前記ｍ本の第１のデータ・ライン及び前記ｍ本の第２のデータ・ラインに結合されｍ個のデータ信号を供給するソース・ドライバ；を有し、各データ信号は前記ｍ本の第１のデータ・ラインのうちの対応する第１のデータ・ラインへ書き込み期間の第１の期間中に出力され、前記ｍ本の第２のデータ・ラインのうちの対応する第２のデータ・ラインへ前記書き込み期間の第２の期間中に出力される。
【０００８】
本発明はＬＣＤ装置を駆動する方法を提供する。当該方法は、書き込み期間の第１の期間中にｍ個のデータ信号をｍ本の対応する第１のデータ・ラインへそれぞれ出力する段階；及び前記書き込み期間の第２の期間中に前記ｍ個のデータ信号をｍ本の対応する第２のデータ・ラインへそれぞれ出力し、前記ｍ個のデータ信号を前記ｍ本の第１のデータ・ラインへ出力するのを中止する段階；を有し、前記ｍ本の対応する第２のデータ・ラインは前記ｍ本の第１のデータ・ラインにそれぞれ隣接する。
【０００９】
本考案のこれら及び他の目的は、以下の種々の図及びグラフに説明された好適な実施例の詳細な説明を読むことにより、当業者に明らかである。
【図面の簡単な説明】
【００１０】
【図１】従来のＬＣＤ装置を説明する図である。
【図２】図１の従来のＬＣＤ装置の動作を説明するタイミング図である。
【図３】本発明によるＬＣＤ装置を説明する図である。
【図４】本発明によるソース・ドライバを説明する図である。
【図５】図３のＬＣＤ装置３０の動作を説明するタイミング図である。
【発明を実施するための形態】
【００１１】
図３を参照する。図３は本発明によるＬＣＤ装置３０を示す。ＬＤＣ装置３０はＬＤＣパネル３２、ソース・ドライバ３４及びゲート・ドライバ３６を有する。複数の並列のデータ・ライン、複数の並列のゲート・ラインＧＬ１−ＧＬｎ及び複数のディスプレイ・ユニットＰ（１，１）−Ｐ（ｍ，ｎ）がＬＤＣパネル３２上に配置されている。ＤＯ１−ＤＯｍは奇数の番号を付されたデータ・ラインを表し、ＤＥ１−ＤＥｍは偶数の番号を付されたデータ・ラインを表す。ＬＣＤパネル３２上に配置された各ディスプレイ・ユニットは、ＴＦＴスイッチ及び液晶キャパシタを有する。各液晶キャパシタは、対応するデータ・ラインと対応するＴＦＴスイッチを介して結合される。ソース・ドライバ３４はディスプレイ画像に対応するデータ信号を生成し、一方でゲート・ドライバ３６はＴＦＴスイッチをオンに切り替えるためのゲート信号を生成する。ディスプレイ・ユニットのＴＦＴスイッチがゲート信号によってオンに切り替えられると、ディスプレイ・ユニットの液晶キャパシタは、ソース・ドライバ３４から送信されたデータ信号を受信するために、対応するデータ・ラインと電気的に接続される。液晶キャパシタに蓄積された電荷に基づき（蓄積された電荷の極性は「＋」又は「−」により表される）、ディスプレイ・ユニットは液晶分子を回転することにより異なるグレー・スケールの画像を表示する。
【００１２】
本発明のＬＣＤ装置３０では、データ・ライン及びゲート・ラインはマトリックスを形成するが、ディスプレイ・ユニットＰ（１，１）−Ｐ（ｍ，ｎ）は対応する奇数で番号付けされたデータ・ラインと対応する奇数で番号付けされたゲート・ラインが交差する位置、又は対応する偶数で番号付けされたデータ・ラインと対応する偶数で番号付けされたゲート・ラインが交差する位置にのみ配置される。換言すると、（ｎ／２）個のディスプレイ・ユニット（ｎは偶数の整数とする）が各データ・ラインに配置され、ｎ個のディスプレイ・ユニットが各ゲート・ラインに配置される。従って、（ｍ＊ｎ）個のディスプレイ・ユニットがＬＣＤパネル３２に配置される。例えば、ディスプレイ・ユニットＰ（１，１）−Ｐ（ｍ，ｎ）が配置される位置は、奇数で番号付けされたデータ・ラインＤＯ１と奇数で番号付けされたゲート・ラインＧＬ１−ＧＬｎ−１の（ｎ／２）個の交点、又は偶数で番号付けされたデータ・ラインＤＥ１と偶数で番号付けされたゲート・ラインＧＬ２−ＧＬｎの（ｎ／２）個の交点を含む。
【００１３】
本発明のソース・ドライバ３４は、ライン反転構造に基づき、ドット反転ディスプレイの効果を達成できる。例えば、正極性（図３では「＋」により表される）を有するデータ信号を奇数で番号付けされたデータ・ラインＤＯ１−ＤＯｍを介して出力することにより、及び負極性（図３では「−」により表される）を有するデータ信号を偶数で番号付けされたデータ・ラインＤＥ１−ＤＥｍを介して出力することにより、ＬＣＤパネル３２上の各ディスプレイ・ユニットは、近隣のディスプレイ・ユニットの極性と反対の極性を有する。
【００１４】
図４を参照する。図４は本発明によるソース・ドライバ３４を示す。ソース・ドライバ３４は、シフト・レジスタ４０、データ・ラッチ４２、デジタル−アナログ変換器（ＤＡＣ）４４、出力バッファ４６及びスイッチ制御回路４８を有する。クロック信号ＣＬＫ及びスタート・パルス信号ＳＰに基づき、シフト・レジスタ４０は対応するクロック制御信号を生成しうる。クロック制御信号に基づき入力データ信号をラッチすることにより、データ・ラッチ４２は対応するサンプル・データ信号を生成しうる。ＤＡＣ４４は、サンプル・データ信号をアナログ・データ信号に変換し、次に出力バッファ４６を介して対応するデータ信号Ｙ１−Ｙｍとして出力する。スイッチ制御回路４８は、奇数で番号付けされたデータ・ラインＤＯ１−ＤＯｍと偶数で番号付けされたデータ・ラインＤＥ１−ＤＥｍとに結合され、ｍ個のデータ信号Ｙ１−Ｙｍとデータ・ラインとの間の信号経路を制御しうる。奇数で番号付けされたデータ・ラインＤＯ１−ＤＯｍにより受信されたデータ信号はそれぞれＹＯ１−ＹＯｍにより表され、偶数で番号付けされたデータ・ラインＤＥ１−ＤＥｍにより受信されたデータ信号はそれぞれＹＥ１−ＹＥｍにより表される。
【００１５】
スイッチ制御回路４８は、制御信号ＣＳｏに基づき動作するｍ個の奇数で番号付けされたスイッチＳＷＯ及び制御信号ＣＳｅに基づき動作するｍ個の偶数で番号付けされたスイッチＳＷＥを有する。制御信号ＣＳｏ及びＣＳｅは１８０°の位相差を有する周期的な信号である。奇数で番号付けされたスイッチＳＷＯ及び偶数で番号付けされたスイッチＳＷＥは、トランジスタ・スイッチ又は同様の機能を有する他の素子を有しうる。スイッチ制御回路４８は、ｍ個の入力端子及び２ｍ個の出力端子を有する。各入力端子は２つの出力端子と対応する奇数で番号付けされたスイッチ及び対応する偶数で番号付けされたスイッチを介して結合される。例えば、制御信号ＣＳｏが高位（ハイ・レベル）であり制御信号ＣＳｅが低位（ロー・レベル）である場合、奇数で番号付けされたスイッチＳＷＯはオンに切り替えられ、偶数で番号付けされたスイッチＳＷＥはオフに切り替えられる。従って、スイッチ制御回路４８はデータ信号Ｙ１−Ｙｍを奇数で番号付けされたデータ・ラインＤＯ１−ＤＯｍへ送信する。同様に、制御信号ＣＳｏが低位（ロー・レベル）であり制御信号ＣＳｅが高位（ハイ・レベル）である場合、奇数で番号付けされたスイッチＳＷＯはオフに切り替えられ、偶数で番号付けされたスイッチＳＷＥはオンに切り替えられる。従って、スイッチ制御回路４８はデ―タ信号Ｙ１−Ｙｍを偶数で番号付けされたデータ・ラインＤＥ１−ＤＥｍへ送信する。
【００１６】
図５を参照する。図５は本発明によるＬＣＤ装置３０の動作を説明するタイミング図である。図５では、横軸は時間を表し、縦軸は電位を表し、出力バッファ４６の第１のデータ信号Ｙ１が説明に用いられる。データ信号Ｙ１の期間Ｔは、正極性の駆動期間（図５では「＋」により示される）及び負極性の駆動期間（図５では「−」により示される）を有する。ＹＯ１及びＹＥ１はそれぞれデータ・ラインＤＯ１及びＤＥ１により受信されたデータ信号を表す。一方でＧＳ１及びＧＳ２はそれぞれゲート・ラインの駆動波形を表す。ＣＳｏ及びＣＳｅはスイッチ制御信号を表し、Ｖｃｏｍは共通電圧を表す。データ・ラインＤＯ１の書き込み期間は、充電期間Ｔｃｏ及びホールド期間Ｔｈｏを有する。スイッチ制御信号ＣＳｏは充電期間Ｔｃｏ中は高位であり、ホールド期間Ｔｈｏ中は低位である。データ・ラインＤＥ１の書き込み期間は、充電期間Ｔｃｅ及びホールド期間Ｔｈｅを有する。スイッチ制御信号ＣＳｅは充電期間Ｔｃｅ中は高位であり、ホールド期間Ｔｈｅ中は低位である。
【００１７】
充電期間Ｔｃｏ中、スイッチ制御信号ＣＳｏ及びゲート信号ＧＳ１の両方が高位になることにより、奇数で番号付けされたスイッチＳＷＯはオンに切り替えられ、偶数で番号付けされたスイッチＳＷＥはオフに切り替えられる。従って、データ・ラインＤＯ１により受信されたデータ信号ＹＯ１はスイッチ制御回路４８により出力されたデータ信号Ｙ１に等しく、この間データ・ラインＤＥ１は等価な高インピーダンスに結合される。ホールド期間Ｔｈｏ中、スイッチ制御信号ＣＳｏは低位であり、ゲート信号ＧＳ１は高位である。データ・ラインＤＯ１は等価な高インピーダンスに結合されているので、該データ・ラインのデータ信号ＹＯ１はもはやデータ信号Ｙ１を供給されないが、代わりにデータ・ラインＤＯ１の固有の寄生キャパシタンスにより維持される。従って、データ信号ＹＯ１はホールド期間Ｔｈｏ中に僅かな電圧降下ΔＶｏに直面する。データ・ラインＤＯ１の寄生キャパシタンスはディスプレイ・ユニットの液晶キャパシタンスより遙かに大きいので、電圧降下ΔＶｏは非常に小さくデータの精度に与える影響は無視できる。
【００１８】
他方で、データ・ラインＤＯ１がホールド期間Ｔｈｏに入ると、データ・ラインＤＥ１は充電期間Ｔｃｅに入る。スイッチ制御信号ＣＳｅ及びゲート信号ＧＳ２の両方が高位になることにより、奇数で番号付けされたスイッチＳＷＯはオフに切り替えられ、偶数で番号付けされたスイッチＳＷＥはオンに切り替えられる。従って、データ・ラインＤＥ１により受信されたデータ信号ＹＥ１はスイッチ制御回路４８により出力されたデータ信号Ｙ１に等しく、この間データ・ラインＤＯ１は等価な高インピーダンスに結合される。ホールド期間Ｔｈｅ中、スイッチ制御信号ＣＳｅは低位であり、ゲート信号ＧＳ２は高位である。データ・ラインＤＥ１は等価な高インピーダンスに結合されているので、該データ・ラインのデータ信号ＹＥ１はもはやデータ信号Ｙ１を供給されないが、代わりにデータ・ラインＤＥ１の固有の寄生キャパシタンスにより維持される。従って、データ信号ＹＥ１はホールド期間Ｔｈｅ中に僅かな電圧降下ΔＶｅに直面する。データ・ラインＤＥ１の寄生キャパシタンスはディスプレイ・ユニットの液晶キャパシタンスより遙かに大きいので、電圧降下ΔＶｅは非常に小さくデータの精度に与える影響は無視できる。
【００１９】
本発明では、各データ信号は、対応する第１のデータ・ラインに書き込み期間の第１の期間中に書き込まれ、対応する第２のデータ・ラインに次の書き込み期間の第１の期間中に書き込まれる。出力されるデータ信号はフレームの終わりまで交番し続ける。第１及び第２のデータ・ラインの中のデータ・ラインの１つのセットのみが、ソース・ドライバから同時にデータ信号を受信する。データ信号をソース・ドライバから受信していないデータ・ラインのその他のセットは、固有の大きな寄生キャパシタンスを用いて液晶キャパシタの電流を維持する。従来技術と比べて、本発明はディスプレイ・ユニットを２段階で充電する点も異なる（充電期間とホールド期間）。しかし、正しいデータ信号が両段階に用いられるので、現行の画素のデータ精度は先行する画素のデータ信号による影響を受けない。本発明は、ホールド期間中、データ・ラインの固有の寄生キャパシタンスを用い電位を維持し、従って液晶キャパシタの充電／放電時間を増大させることができる。一方で、ソース・ドライバ３４はｍ個のデータ信号Ｙ１−Ｙｍを２ｍ本のデータ・ラインへスイッチ制御回路を介して対応する期間中に送信する。従って本発明は回路レイアウト面積を低減し、電力消費を低減させうる。
【００２０】
当業者は、本発明の教示を守りつつ、装置及び方法の多くの変形及び代替がなされ得ることを直ちに理解するだろう。
【符号の説明】
【００２１】
３０  ＬＣＤ装置
３２  ＬＤＣパネル
３４  ソース・ドライバ
３６  ゲート・ドライバ
４０  シフト・レジスタ
４２  データ・ラッチ
４４  デジタル−アナログ変換器（ＤＡＣ）
４６  出力バッファ
４８  スイッチ制御回路
ＣＬＫ  クロック信号
ＣＳｏ、ＣＳｅ  制御信号
ＤＥ  偶数で番号付けされたデータ・ライン
ＤＯ  奇数で番号付けされたデータ・ライン
ＧＬ  
Ｐ（１，１）−Ｐ（ｍ，ｎ）  ディスプレイ・ユニット
ＳＰ  スタート・パルス信号
ＳＷＥ  偶数で番号付けされたスイッチ
ＳＷＯ  奇数で番号付けされたスイッチ
Ｙ  データ信号
ＹＥ  ＤＥにより受信されたデータ信号
ＹＯ  ＤＯにより受信されたデータ信号
【図１】
2010170078.tif 000003
【図２】
2010170078.tif 000004
【図３】
2010170078.tif 000005
【図４】
2010170078.tif 000006
【図５】
2010170078.tif 000007